(57)【特許請求の範囲】
【請求項１】
遊技球が入球可能な複数の入球手段と、前記各入球手段に入球した遊技球を検出する入球検出手段と、前記入球検出手段による検出信号に基づいて前記各入球手段への入球の有無を判断する入球監視手段とを備え、前記入球監視手段により前記入球手段への入球があったものと判断されることに基づいて遊技者に所定の利益を還元するように構成した弾球遊技機において、前記入球監視手段は、前記入球手段毎に、他の前記入球手段への入球を挟むことなく且つ所定の時間間隔をおかずに続けて入球した遊技球の個数である連続入球個数を計数し、前記連続入球個数が予め定められた上限個数を超えることを条件にエラー報知を行うように構成したことを特徴とする弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機では、各入賞手段（入球手段）に対応して入球検出手段が設けられており、入球検出手段が遊技球を検出することにより、対応する入賞手段への遊技球の入賞があったものと判断して、所定個数の賞球の払出等、遊技者に所定の利益を還元するように構成されている。ここで、入球検出手段としては近接スイッチが最も一般的である（例えば特許文献１）。この近接スイッチには検出孔が設けられており、入賞手段に入賞した遊技球がこの検出孔を通過する際に、非接触でその遊技球の通過を検出するようになっている。
【先行技術文献】
【特許文献】
【０００３】
【特許文献１】特開２００４−１８７８９５号公報
【発明の概要】
【発明が解決しようとする課題】
【０００５】
本発明は、入賞手段に対応して設けられる近接スイッチを誤作動させることによる不正行為を効果的に防止できる弾球遊技機を提供することを目的とする。
【課題を解決するための手段】
【０００６】
本発明は、遊技球が入球可能な複数の入球手段２９，３３，３４，３８，４１ａ〜４１ｄと、前記各入球手段２９，３３，３４，３８，４１ａ〜４１ｄに入球した遊技球を検出する入球検出手段３０，３６，３７，４０，４２ａ〜４２ｄ，４３と、前記入球検出手段３０，３６，３７，４０，４２ａ〜４２ｄ，４３による検出信号に基づいて前記各入球手段２９，３３，３４，３８，４１ａ〜４１ｄへの入球の有無を判断する入球監視手段５５と、前記入球監視手段５５により前記入球手段２９，３３，３４，３８，４１ａ〜４１ｄへの入球があったものと判断されることに基づいて遊技者に所定の利益を還元するように構成した弾球遊技機において、前記入球監視手段５５は、前記入球手段２９，３３，３４，３８，４１ａ〜４１ｄ毎に、他の前記入球手段２９，３３，３４，３８，４１ａ〜４１ｄへの入球を挟むことなく且つ所定の時間間隔をおかずに続けて入球した遊技球の個数である連続入球個数を計数し、前記連続入球個数が予め定められた上限個数を超えることを条件にエラー報知を行うように構成したものである。また、前記上限個数を前記入球手段毎に設定してもよい。
【０００７】
前記入球手段２９，３３，３４，３８，４１ａ〜４１ｄのうちの所定の入球手段２９，３８に対して１又は複数の前記入球手段３３，３４を除外入球手段に設定し、前記除外入球手段３３，３４への入球があっても前記所定の入球手段２９，３８の前記連続入球個数をリセットしないように構成してもよい。
【０００８】
前記複数の入球手段２９，３３，３４，３８，４１ａ〜４１ｄのうちの一部の入球手段２９，３８についてのみ前記連続入球個数の計数及び前記エラー報知を行うように構成してもよい。
【０００９】
また、同一の前記入球手段２９，３３，３４，３８，４１ａ〜４１ｄに遊技球が連続して入球した場合であっても、その入球時間間隔が所定時間以上である場合には前記連続入球個数をリセットするように構成してもよい。
【００１０】
また、本発明は、遊技球が入球可能な複数の入球手段２９，３３，３４，３８，４１ａ〜４１ｄと、前記各入球手段２９，３３，３４，３８，４１ａ〜４１ｄに入球した遊技球を検出する入球検出手段３０，３６，３７，４０，４２ａ〜４２ｄ，４３と、前記入球検出手段３０，３６，３７，４０，４２ａ〜４２ｄ，４３による検出信号に基づいて前記各入球手段２９，３３，３４，３８，４１ａ〜４１ｄへの入球の有無を判断する入球監視手段５５とを備え、前記入球監視手段５５により前記入球手段２９，３３，３４，３８，４１ａ〜４１ｄへの入球があったものと判断されることに基づいて遊技者に所定の利益を還元するように構成し、前記複数の入球手段２９，３３，３４，３８，４１ａ〜４１ｄのうちの特定入球手段４１ａ〜４１ｄに対しては直列状に配置された一次検出手段４２ａ〜４２ｄと二次検出手段４３との２つの前記入球検出手段４２ａ〜４２ｄ，４３を設け、前記入球監視手段５５は、前記特定入球手段４１ａ〜４１ｄについては前記一次検出手段４２ａ〜４２ｄと前記二次検出手段４３とが共に遊技球を検出することに基づいて入球があったものと判断するように構成した弾球遊技機において、前記入球監視手段５５は、前記一次検出手段４２ａ〜４２ｄによる検出後に前記二次検出手段４３による検出があっても、それらの検出時間間隔が予め定められた上限時間よりも大であるか、又はそれらの検出時間間隔が予め定められた所定範囲内でない場合には前記特定入球手段４１ａ〜４１ｄへの入球はなかったものと判断するように構成したものである。
【００１１】
前記一次検出手段４２ａ〜４２ｄによる検出後、所定時点までに前記二次検出手段４３による検出がなかった場合にはエラー報知を行うように構成してもよい。
【００１２】
また、前記検出時間間隔が前記上限時間よりも大であるか、又は前記所定範囲内でない場合には、前記二次検出手段４３による検出がなかった場合とは異なるエラー報知を行うように構成してもよい。
【００１３】
また、前記上限時間又は前記所定範囲を前記特定入球手段４１ａ〜４１ｄ毎に設定してもよい。
【発明の効果】
【００１４】
本発明によれば、入賞手段に対応して設けられる近接スイッチを誤作動させることによる不正行為を容易に発見することができると共に、強力な抑止効果が期待できる。
【図面の簡単な説明】
【００１５】
【図１】本発明の第１の実施形態に係るパチンコ機の全体斜視図である。
【図２】同パチンコ機の遊技盤の正面図である。
【図３】同パチンコ機の普通入賞口ユニットの背面断面図である。
【図４】同パチンコ機の制御系のブロック図である。
【図５】同パチンコ機の入賞監視処理のフローチャートである。
【図６】同パチンコ機の連続入賞監視処理のフローチャートである。
【図７】同パチンコ機の検出時間間隔監視処理のフローチャートである。
【図８】本発明の第２の実施形態に係るパチンコ機の検出時間間隔監視処理のフローチャートである。
【図９】本発明の第３の実施形態に係るパチンコ機の検出時間間隔監視処理のフローチャートである。
【発明を実施するための形態】
【００１６】
以下、本発明の実施形態を図面に基づいて詳述する。図１〜図７は本発明をパチンコ機に採用した第１の実施形態を例示している。図１において、遊技機本体１は、矩形状の外枠２と、この外枠２の左右一側、例えば左側のヒンジ３を介して縦軸心廻りに開閉及び着脱自在に枢着された内枠４とを備えている。
【００１７】
内枠４には、その上部側に図２に示す遊技盤５等が、下部側に発射手段（図示省略）等が夫々配置されており、その内枠４の前側には、遊技盤５の前側を覆うガラス扉６と、そのガラス扉６の下側で発射手段等の前側を覆う下部開閉扉７とがヒンジ３と同じ側のヒンジ８により開閉及び着脱自在に枢着されている。ガラス扉６には、遊技盤５側の遊技領域５ａに対応するガラス窓９が設けられ、また下部開閉扉７には、発射手段に供給するための遊技球を貯留する貯留皿１０、発射手段を作動させるための発射ハンドル１１等が設けられている。
【００１８】
遊技盤５の前側には、図２に示すように、発射手段により発射された遊技球を案内するガイドレール１２が略環状に配置されており、そのガイドレール１２内の遊技領域５ａには、表示ユニット１３、ゲートユニット１４、開閉入賞口ユニット１５、大入賞口ユニット１６、普通入賞口ユニット１７等の遊技部品が着脱自在に装着されている。
【００１９】
ガイドレール１２は、例えば金属板により形成され、遊技盤５の前面側に立設されている。ガイドレール１２は、外レール１２ａとその内側の内レール１２ｂとが一部内外に重複するように配置されており、それら外レール１２ａと内レール１２ｂとの間に、発射手段により発射された遊技球を遊技領域５ａに案内する案内通路１８が形成されている。
【００２０】
表示ユニット１３は、遊技領域５ａの略中央に配置され、例えば遊技盤５の裏側に装着される液晶表示手段２１と、液晶表示手段２１用の表示窓２２を備え且つ遊技盤５に設けられた表示ユニット装着孔（図示省略）に前側から着脱自在に装着される表示枠体２３とを備えている。液晶表示手段２１は例えば演出図柄表示手段２４等を構成している。また、例えば表示枠体２３上には、普通図柄表示手段２５、特別図柄表示手段２６、普通保留個数表示手段２７、特別保留個数表示手段２８等の各種表示手段の他、例えば遊技領域５ａの下部右側に、普通入賞手段２９と、この普通入賞手段２９に入賞した遊技球を検出する入賞検出スイッチ（入球検出手段）３０とが設けられている。
【００２１】
ゲートユニット１４は、例えば表示ユニット１３の左側に配置されており、遊技球が通過可能な通過ゲートよりなる普通図柄始動手段３１と、この普通図柄始動手段３１を通過する遊技球を検出する通過検出スイッチ３２とを備えている。このゲートユニット１４は、遊技盤５に設けられたゲートユニット装着孔（図示省略）に対して前側から着脱自在に装着され、ねじ止め等により遊技盤５の前面側に固定されている。
【００２２】
普通図柄始動手段３１は、普通図柄表示手段２５による図柄変動を開始させるためのもので、遊技球がこの普通図柄始動手段３１を通過することを条件に普通図柄表示手段２５による普通図柄の変動表示が開始されるようになっている。
【００２３】
普通図柄表示手段２５は、例えば「○」「×」の２種類の普通図柄に対応する２個の発光体（例えばＬＥＤ）により構成されており、遊技球が普通図柄始動手段３１を通過することを条件にそれら２つの発光体が所定時間交互に点滅して、普通図柄始動手段３１による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００２４】
また、普通図柄表示手段２５の変動表示中、又は後述する普通利益状態中に遊技球が普通図柄始動手段３１を通過した場合には、その通過時に取得された当たり判定乱数値が予め定められた上限保留個数、例えば４個を限度として記憶されると共に、例えば上限保留個数と同数の発光体よりなる普通保留個数表示手段２７がその発光個数により当たり判定乱数値の記憶個数（以下、普通保留個数）を表示して、その時点での普通保留個数を遊技者に報知するようになっている。
【００２５】
開閉入賞口ユニット１５は、例えば表示ユニット１３の下側に配置されており、遊技球が入賞可能な上部始動入賞手段３３及び下部始動入賞手段３４と、例えば前後軸廻りに揺動可能に設けられ且つ下部始動入賞手段３４を開閉する左右一対の開閉手段３５と、上下の始動入賞手段３３，３４に対して１個ずつ設けられ且つ入賞した遊技球を検出する入賞検出スイッチ（入球検出手段）３６，３７とを備えている。この開閉入賞口ユニット１５は、遊技盤５に設けられた開閉入賞口ユニット装着孔（図示省略）に対して前側から着脱自在に装着され、ねじ止め等により遊技盤５の前面側に固定されている。
【００２６】
上部始動入賞手段３３は開閉手段等を有しない非作動式入賞口である。下部始動入賞手段３４は、開閉手段３５により開閉可能な作動式入賞口で、普通図柄表示手段２５の変動後の停止図柄が当たり態様となって普通利益状態が発生したときに所定時間開状態に変化して、遊技球が入賞可能な状態となる。これら上部始動入賞手段３３及び下部始動入賞手段３４は、いずれも特別図柄表示手段２６による図柄変動を開始させるためのもので、入賞検出スイッチ３６，３７からの検出信号に基づいて遊技球が始動入賞手段３３，３４の何れかに入賞したものと判定されることを条件に特別図柄表示手段２６による特別図柄の変動表示が開始され、また１個の入賞につき所定個数の賞球が払い出されるようになっている。
【００２７】
特別図柄表示手段２６は、１個又は複数個、例えば１個の特別図柄を変動表示可能な７セグメント式等の表示手段により構成されており、遊技球が上部始動入賞手段３３と下部始動入賞手段３４との何れかに入賞することを条件に特別図柄を所定時間変動表示して、上部始動入賞手段３３又は下部始動入賞手段３４への入賞時に取得された大当たり判定乱数値が予め定められた大当たり判定値と一致する場合には所定の大当たり態様で、それ以外の場合には外れ態様で停止するようになっている。
【００２８】
特別図柄は、例えば数字図柄等ではなく、それ自体としては特別な意味を持たない線と点の組み合わせ等よりなる複数種類の図柄で構成され、それらの図柄のうちの１又は複数が大当たり態様、それ以外が外れ態様に設定されている。また、特別図柄の変動表示中、又は後述する特別利益状態中に上部始動入賞手段３３又は下部始動入賞手段３４に遊技球が入賞した場合には、その入賞時に取得された大当たり判定乱数値等が所定の上限保留個数、例えば４個を限度として記憶されると共に、例えば上限保留個数と同数の発光体よりなる特別保留個数表示手段２８がその発光個数により大当たり判定乱数値の記憶個数（以下、特別保留個数）を表示して、その時点での特別保留個数を遊技者に報知するようになっている。
【００２９】
特別図柄表示手段２６による特別図柄の変動表示中は、例えば演出図柄表示手段２４により演出図柄による図柄変動演出が行われる。演出図柄表示手段２４は、１個又は複数個、例えば左右方向に３個の演出図柄を例えば各種の演出画像と共に変動表示可能に構成されており、特別図柄の変動開始と同時に所定の変動パターンに従って演出図柄の変動を開始すると共に、特別図柄の変動停止と同時に最終停止するように、演出図柄を左、右、中等の所定の順序で停止させるようになっている。なお、演出図柄表示手段２４は、特別図柄の変動内容とは直接関係のない演出を行う場合があってもよい。
【００３０】
大入賞口ユニット１６は、例えば開閉入賞口ユニット１５の下側に配置されており、遊技球が入賞可能な大入賞手段３８と、例えば下部側の横軸廻りに揺動可能に設けられ且つ大入賞手段３８を開閉する開閉板３９と、大入賞手段３８に入賞した遊技球を検出する入賞検出スイッチ（入球検出手段）４０とを備えている。この大入賞口ユニット１６は、遊技盤５に設けられた大入賞口ユニット装着孔（図示省略）に対して前側から着脱自在に装着され、ねじ止め等により遊技盤５の前面側に固定されている。
【００３１】
大入賞手段３８は、開閉板３９により開閉可能な作動式入賞口で、特別図柄表示手段２６の変動後の停止図柄が大当たり態様となって特別利益状態が発生したときに、所定時間開状態に変化して、遊技球が容易に入賞可能な状態となる。入賞検出スイッチ４０からの検出信号に基づいて大入賞手段３８に遊技球が入賞したものと判定された場合には、１個の入賞につき所定個数の賞球が払い出される。
【００３２】
普通入賞口ユニット１７は、例えば大入賞口ユニット１６の左側で内レール１２ｂの内側に沿って配置されており、遊技球が入賞可能な複数、例えば４つの第１〜第４普通入賞手段（特定入球手段）４１ａ〜４１ｄと、これら第１〜第４普通入賞手段４１ａ〜４１ｄに入賞した遊技球を検出する第１〜第４入賞検出スイッチ（入球検出手段）４２ａ〜４２ｄ及び共通入賞検出スイッチ（入球検出手段）４３とを備えている。この普通入賞口ユニット１７は、遊技盤５に設けられた普通入賞口ユニット装着孔（図示省略）に対して前側から着脱自在に装着され、ねじ止め等により遊技盤５の前面側に固定されている。
【００３３】
普通入賞口ユニット１７の裏側には、第１〜第４普通入賞手段４１ａ〜４１ｄに入賞した遊技球を遊技盤５の後側で下流側に流下させる流下案内通路４４が設けられている。この流下案内通路４４は、内レール１２ｂに沿って例えば略円弧状に配置され且つ遊技球を上流側（上部側）から下流側（下部側）に案内する一本の本線通路４５と、第１〜第４普通入賞手段４１ａ〜４１ｄに対応して設けられ且つ第１〜第４普通入賞手段４１ａ〜４１ｄに入賞した遊技球を夫々本線通路４５に流入させる第１〜第４支線通路４６ａ〜４６ｄとで構成されており、例えば本線通路４５の下流端側に共通入賞検出スイッチ４３が、第１〜第４支線通路４６ａ〜４６ｄ上に第１〜第４入賞検出スイッチ４２ａ〜４２ｄが夫々配置されている。
【００３４】
このように、第１〜第４入賞検出スイッチ４２ａ〜４２ｄは夫々第１〜第４普通入賞手段（特定入球手段）４１ａ〜４１ｄに対応して個別に設けられた一次検出手段、共通入賞検出スイッチ４３は第１〜第４普通入賞手段４１ａ〜４１ｄに共通の二次検出手段で、それら第１〜第４入賞検出スイッチ（一次検出手段）４２ａ〜４２ｄと共通入賞検出スイッチ（二次検出手段）４３とは夫々直列状に配置されており、第１〜第４普通入賞手段４１ａ〜４１ｄに入賞した遊技球は、その入賞した入賞手段４１ａ〜４１ｄに応じて第１〜第４入賞検出スイッチ４２ａ〜４２ｄの何れかによって検出された後、更に共通入賞検出スイッチ４３によって検出されるようになっている。第１〜第４入賞検出スイッチ４２ａ〜４２ｄ及び共通入賞検出スイッチ４３からの検出信号に基づいて、第１〜第４普通入賞手段４１ａ〜４１ｄに遊技球が入賞したものと判定された場合には、１個の入賞につき所定個数の賞球が払い出される。
【００３５】
続いて、本パチンコ機の制御系のうち、大玉ゴト等による不正入賞を監視するための構成について説明する。ここで、この「大玉ゴト」と呼ばれる不正行為は、正規の遊技球よりも若干大きめの不正球を発射し、磁石等を用いて所定の入賞口に入賞させ、その入賞口に設けられた近接スイッチの検出孔に詰まらせてＯＮ状態にすると共に、遊技機外から近接スイッチに対して電磁波を照射することにより、遊技球が連続的に入賞した場合と同様の誤検出状態を作り出すというものである。
【００３６】
本実施形態の主制御基板５１には、図４に示すように、各入賞手段２９，３３，３４，３８，４１ａ〜４１ｄへの遊技球の入賞に関する処理を行う入賞処理手段５２と、普通図柄表示手段２５、特別図柄表示手段２６の図柄変動に関する処理を行う図柄処理手段５３と、下部始動入賞手段３４、大入賞手段３８等の動作に関する処理を行う役物処理手段５４とが設けられており、また入賞処理手段５２には、各入賞手段２９，３３，３４，３８，４１ａ〜４１ｄへの入賞を監視する入賞監視手段（入球監視手段）５５が設けられている。
【００３７】
この入賞監視手段５５は、例えば図５に示す入賞監視処理を実行するように構成されている。この入賞監視処理（図５）では、まず各入賞手段２９，３３，３４，３８，４１ａ〜４１ｄに設けられている各入賞検出スイッチ（二次検出手段である共通入賞検出スイッチ４３を除く）の検出状態が監視される（Ｓ１）。そして、入賞検出スイッチ３０，３６，３７，４０，４２ａ〜４２ｄの何れかがＯＮになったことが確認されると（Ｓ１：Ｙｅｓ）、それが一次検出手段である第１〜第４入賞検出スイッチ４２ａ〜４２ｄでない場合、即ち入賞検出スイッチ３０，３６，３７，４０の何れかである場合には例えば図６に示す連続入賞監視処理（Ｓ３）が、一次検出手段である第１〜第４入賞検出スイッチ４２ａ〜４２ｄの何れかである場合には例えば図７に示す検出時間間隔監視処理（Ｓ４）が実行される。
【００３８】
連続入賞監視処理（Ｓ３）では、図６に示すように、まずＯＮになった入賞検出スイッチが、連続入賞異常の監視対象外に設定された入賞手段に対応するものであるか否かが判定される（Ｓ１１）。本実施形態では、上部，下部始動入賞手段３３，３４が連続入賞異常の監視対象外に設定されているものとする。Ｓ１１では、ＯＮになった入賞検出スイッチがそれら上部，下部始動入賞手段３３，３４に対応する入賞検出スイッチ３６，３７の何れかであるか否かが判定され、入賞検出スイッチ３６，３７の何れかがＯＮになったと判定された場合にはここで連続入賞監視処理は終了する。
【００３９】
これにより、連続入賞異常の監視対象外に設定された入賞手段（ここでは上部，下部始動入賞手段３３，３４）については、連続入賞に対する異常判定が行われない。また、他の入賞手段への連続入賞に対する異常判定においてはこれら上部，下部始動入賞手段（除外入球手段）３３，３４への入賞はなかったものとして取り扱われる。従って、例えば普通入賞手段２９への入賞の後、上部始動入賞手段３３への入賞があり、続いて再度普通入賞手段２９への入賞があった場合には、上部始動入賞手段３３への入賞は無視されて普通入賞手段２９への連続入賞として処理される。
【００４０】
Ｓ１１で入賞検出スイッチ３６，３７以外の入賞検出スイッチ、即ち入賞検出スイッチ３０，４０の何れかがＯＮになったと判定された場合には（Ｓ１１：Ｎｏ）、ＯＮになった入賞検出スイッチ、即ち入賞検出スイッチ３０，４０の何れかを、今回検出の入賞検出スイッチを示すＳＷ１にセットする（Ｓ１２）と共に、そのＳＷ１と、前回検出の入賞検出スイッチを示すＳＷ２とが比較される。もちろん、電源投入後の最初の処理ではＳＷ２には０等の初期値が設定されているため、ＳＷ１とＳＷ２とが同一と判断されることはない。
【００４１】
Ｓ１３においてＳＷ１とＳＷ２とが同一でないと判断された場合には（Ｓ１３：Ｎｏ）、同一入賞手段への連続入賞個数をカウントする連続入賞カウンタの値が０にリセットされ（Ｓ１５）、連続入賞タイマに初期値がセットされ（Ｓ１６）、連続入賞カウンタに１が加算される（Ｓ１７）。
【００４２】
本実施形態では、同一の入賞手段に連続して入賞した場合でも、その入賞時間間隔が所定時間以上であれば連続入賞でないとみなすようになっている。連続入賞タイマはその入賞時間間隔を計時するためのもので、初期値としてその所定時間に対応する値がセットされると共に所定の減算処理手段によって時間経過に応じて減算処理されるようになっている。従って、この連続入賞タイマの値が０になれば入賞時間間隔が所定時間以上であると判断できる。
【００４３】
一方、Ｓ１３においてＳＷ１とＳＷ２とが同一であると判断された場合には（Ｓ１３：Ｙｅｓ）、連続入賞タイマの値が０であるか否かが判定される（Ｓ１４）。そして、連続入賞タイマの値が０であると判定された場合（Ｓ１４：Ｙｅｓ）、即ち前回の入賞から今回の入賞までの入賞時間間隔が所定時間以上であった場合には、ＳＷ１とＳＷ２とが同一でないと判断された場合（Ｓ１３：Ｎｏ）と同様、連続入賞カウンタの値が０にリセットされ（Ｓ１５）、連続入賞タイマに初期値がセットされ（Ｓ１６）、連続入賞カウンタに１が加算される（Ｓ１７）。
【００４４】
また、Ｓ１４において連続入賞タイマの値が０でないと判定された場合（Ｓ１４：Ｎｏ）、即ち前回の入賞から今回の入賞までの入賞時間間隔が所定時間未満であった場合には、連続入賞カウンタのリセット処理（Ｓ１５）はスキップされ、連続入賞タイマへの初期値セット処理（Ｓ１６）、連続入賞カウンタへの１加算処理（Ｓ１７）が実行される。
【００４５】
続いて、１加算後の連続入賞カウンタの値と上限個数とが比較される（Ｓ１８）。ここで、上限個数は、入賞手段毎に、例えば普通入賞手段２９は１０個、大入賞手段３８は２００個のように予め設定されているものとする。図６では、ＳＷ１に対応する上限個数を上限個数（ＳＷ１）と表している。
【００４６】
Ｓ１８において連続入賞カウンタの値が上限個数以下であると判定された場合には（Ｓ１８：Ｎｏ）、入賞処理手段５２によって賞球の払出等の入賞処理が行われた後（Ｓ１９）、今回検出の入賞検出スイッチを示すＳＷ１の値が前回検出の入賞検出スイッチを示すＳＷ２にセットされ（Ｓ２０）、連続入賞監視処理は終了する。
【００４７】
一方、Ｓ１８において連続入賞カウンタの値が上限個数より大であると判定された場合には（Ｓ１８：Ｙｅｓ）、連続入賞異常のエラーが報知される（Ｓ２１）。このエラー報知は、液晶表示手段２１によるエラー表示、音声によるエラー出力、外部出力端子からのエラー信号出力、或いはそれらの組み合わせ等、どのようなものでもよい。
【００４８】
このエラー報知（Ｓ２１）は例えば所定の解除操作が行われるまで継続される（Ｓ２２）。そして、エラーが解除された場合には（Ｓ２２：Ｙｅｓ）、連続入賞カウンタがリセットされ（Ｓ２３）、連続入賞タイマに初期値がセットされ（Ｓ２４）、前回検出の入賞検出スイッチを示すＳＷ２がリセットされ（Ｓ２５）、連続入賞監視処理は終了する。
【００４９】
以上のように、本実施形態の連続入賞監視処理では、特定の入賞手段への連続入賞個数が予め定められた上限個数を超えることを条件にエラー報知を行うように構成されているため、いわゆる大玉ゴト等、入賞手段に対応して設けられる近接スイッチを誤作動させることによる不正行為を容易に発見することができると共に、強力な抑止効果が期待できる。
【００５０】
続いて、一次検出手段である第１〜第４入賞検出スイッチ４２ａ〜４２ｄの何れかがＯＮになったことにより実行される検出時間間隔監視処理（Ｓ４）について説明する。この検出時間間隔監視処理では、図７に示すように、まずＯＮになった入賞検出スイッチがＳＷにセットされ（Ｓ３１）、検出時間間隔タイマによる計時が開始される（Ｓ３２）。この検出時間間隔タイマは、一次検出手段による遊技球検出後の経過時間を計時するためのもので、例えば一次検出手段がＯＮになった時点（Ｓ３２）を０として、所定の加算処理手段によって時間経過に応じて加算処理されるようになっている。
【００５１】
続いて、二次検出手段である共通入賞検出スイッチ４３による検出状態が監視される  （Ｓ３３，Ｓ３４）。そして、共通入賞検出スイッチ４３がＯＮとなり（Ｓ３３：Ｙｅｓ）、その時点での検出時間間隔タイマの値が上限時間以下であれば（Ｓ３６：Ｙｅｓ）、即ち一次検出手段による遊技球の検出から二次検出手段による遊技球の検出までの経過時間が上限時間以下であれば、入賞処理手段５２によって賞球の払出等の入賞処理が行われ（Ｓ３７）、検出時間間隔監視処理は終了する。ここで、例えば本実施形態のように一次検出手段から二次検出手段までの経路長が入賞手段毎に異なる場合には、上限時間を入賞手段毎に設定することが望ましい。図７では、ＳＷに対応する上限時間を上限時間（ＳＷ）と表している。
【００５２】
一方、共通入賞検出スイッチ４３がＯＮになっても（Ｓ３３：Ｙｅｓ）、その時点での検出時間間隔タイマの値が上限時間を超えていれば（Ｓ３６：Ｎｏ）、即ち一次検出手段による遊技球の検出から二次検出手段による遊技球の検出までの経過時間が上限時間より大であれば、入賞処理（Ｓ３７）はスキップされ、その入賞はなかったものとされる。
【００５３】
また、共通入賞検出スイッチ４３がＯＮにならないまま検出時間間隔タイマの値が限界時間を超えた場合（所定時点までに二次検出手段による検出がなかった場合の一例）には（Ｓ３４：Ｙｅｓ）、検出時間間隔異常のエラーが報知され（Ｓ３５）、検出時間間隔監視処理は終了する。このエラー報知は、液晶表示手段２１によるエラー表示、音声によるエラー出力、外部出力端子からのエラー信号出力、或いはそれらの組み合わせ等、どのようなものでもよい。なお、Ｓ３４における限界時間は、Ｓ３６における上限時間よりも大きな値に設定されることは言うまでもない。
【００５４】
以上のように、本実施形態の検出時間間隔監視処理では、一次検出手段である第１〜第４入賞検出スイッチ４２ａ〜４２ｄによる検出後に二次検出手段である共通入賞検出スイッチ４３による検出があっても、それらの検出時間間隔が予め定められた上限時間よりも大である場合には、その入賞手段への入球はなかったものと判断され、また一次検出手段である第１〜第４入賞検出スイッチ４２ａ〜４２ｄによる検出後、所定時点までに二次検出手段である共通入賞検出スイッチ４３による検出がなかった場合にはエラー報知を行うように構成されているため、いわゆる大玉ゴト等、入賞手段に対応して設けられる近接スイッチを誤作動させることによる不正行為を容易に発見することができると共に、強力な抑止効果が期待できる。
【００５５】
図８は本発明の第２の実施形態を例示し、一次検出手段による検出と二次検出手段による検出との間の検出時間間隔が予め定められた上限時間よりも大であった場合にエラー報知を行うように構成した例を示している。
【００５６】
図８に示す検出時間間隔監視処理は、第１の実施形態に係る検出時間間隔監視処理（図７）を一部変更したもので、第１〜第４入賞検出スイッチ４２ａ〜４２ｄの何れかがＯＮになった後で共通入賞検出スイッチ４３がＯＮになり（Ｓ３３：Ｙｅｓ）、その時点での検出時間間隔タイマの値が上限時間を超えていた場合には（Ｓ３６：Ｎｏ）、即ち一次検出手段による遊技球の検出から二次検出手段による遊技球の検出までの経過時間が上限時間より大であった場合には、入賞処理（Ｓ３７）がスキップされると共に、検出時間間隔異常のエラーが報知される（Ｓ３８）ようになっている。なお、このＳ３８のエラー報知は、所定時点までに二次検出手段による検出がなかった場合のエラー報知（Ｓ３５）とは異なる報知内容とすることが望ましい。
【００５７】
図９は本発明の第３の実施形態を例示し、一次検出手段による検出と二次検出手段による検出との間の検出時間間隔が予め定められた所定範囲内でない場合にはその入賞手段への入賞はなかったものと判断するように構成した例を示している。
【００５８】
図９に示す検出時間間隔監視処理は、第１の実施形態に係る検出時間間隔監視処理（図７）を一部変更したもので、第１〜第４入賞検出スイッチ４２ａ〜４２ｄの何れかがＯＮになった後で共通入賞検出スイッチ４３がＯＮになった場合に（Ｓ３３：Ｙｅｓ）、その時点での検出時間間隔タイマの値が所定範囲内にあるか否かが判定され（Ｓ３６ａ）、所定範囲内であれば入賞処理手段５２によって賞球の払出等の入賞処理が行われるが（Ｓ３７）、所定範囲内になければ入賞処理（Ｓ３７）はスキップされ、その入賞はなかったものとされるようになっている。なお、この所定範囲は、本実施形態のように一次検出手段から二次検出手段までの経路長が入賞手段毎に異なる場合には入賞手段毎に設定することが望ましい。
【００５９】
また、Ｓ３６ａにおいて検出時間間隔タイマの値が所定範囲内にないと判定された場合には、第２の実施形態のように検出時間間隔異常のエラーを報知するように構成してもよい。
【００６０】
以上、本発明の実施形態について詳述したが、本発明はこれらの実施形態に限定されるものではなく、本発明の趣旨を逸脱しない範囲で種々の変更が可能である。例えば、実施形態では、一の入賞手段に対して二つの入球検出手段を配置した第１〜第４普通入賞手段４１ａ〜４１ｄを、連続入賞監視処理（図６）による監視対象から外したが、これら第１〜第４普通入賞手段４１ａ〜４１ｄも連続入賞監視処理（図６）による監視対象に含めてもよい。この場合、例えば一次検出手段である第１〜第４入賞検出スイッチ４２ａ〜４２ｄがＯＮになったか否かにより判断すればよい。
【００６１】
また、実施形態では、連続入賞監視処理において、監視対象の入賞手段２９，３８の全てに対して上部，下部始動入賞手段３３，３４を除外入球手段に設定し、それら上部，下部始動入賞手段３３，３４への入賞があっても前記入賞手段２９，３８の連続入球個数をリセットしないように構成したが、入賞手段毎に異なる入賞手段を除外入球手段に設定してもよい。また、上部，下部始動入賞手段３３，３４の両方又は一方を連続入賞監視処理における監視対象としてもよいし、他の入賞手段を監視対象から外してもよい。
【００６２】
実施形態では、検出時間間隔監視処理の監視対象の入賞手段４１ａ〜４１ｄについて二次検出手段を共通としたが、入賞手段毎に一次、二次検出手段を個別に設けてもよい。
【００６３】
なお、実施形態ではパチンコ遊技機について例示したが、アレンジボール機、雀球遊技機等の他の弾球遊技機においても同様に実施可能であることはいうまでもない。
【符号の説明】
【００６４】
２９    普通入賞手段（入球手段）
３０    入賞検出スイッチ（入球検出手段）
３３    下部始動入賞手段（入球手段、除外入球手段）
３４    下部始動入賞手段（入球手段、除外入球手段）
３６    入賞検出スイッチ（入球検出手段）
３７    入賞検出スイッチ（入球検出手段）
３８    大入賞手段（入球手段）
４０    入賞検出スイッチ（入球検出手段）
４１ａ〜
４１ｄ  第１〜第４普通入賞手段（入球手段）
４２ａ〜
４２ｄ  第１〜第４入賞検出スイッチ（入球検出手段、一次検出手段）
４３    共通入賞検出スイッチ（入球検出手段、二次検出手段）
５５    入賞監視手段（入球監視手段）
【図１】
0005283680.tif 000002
【図２】
0005283680.tif 000003
【図３】
0005283680.tif 000004
【図４】
0005283680.tif 000005
【図５】
0005283680.tif 000006
【図６】
0005283680.tif 000007
【図７】
0005283680.tif 000008
【図８】
0005283680.tif 000009
【図９】
0005283680.tif 000010